(57)【特許請求の範囲】
【請求項１】
遊技機を構成する各種基板や各種ＩＣチップ等の点検対象物に貼着され、自身の識別情報を外部へ送信することができる様に構成されている貼着部材と、
該貼着部材から送信される識別情報を受信する識別情報受信手段，該識別情報受信手段により受信された識別情報が適正であるか否かを判断する適正判断手段，該適正判断手段により判断された結果を外部へ出力する判断結果出力手段を有する点検装置本体と、
を備える不正交換点検装置であって、
パチンコ遊技場内において前記点検装置本体を移動させるための搬送手段を設け、当該点検装置本体を適宜移動させて前記各遊技機について前記点検対象物の点検作業を行うことができる様に構成したことを特徴とする不正交換点検装置。
【請求項２】
前記搬送手段は、遊技機が複数設置されて構成される遊技島内に設けられる搬送通路に沿って前記点検装置本体を移動させることを特徴とする請求項１に記載の不正交換点検装置。
【請求項３】
遊技機を構成する各種基板や各種ＩＣチップ等の点検対象物に貼着され、自身の識別情報を外部へ送信することができる様に構成されている貼着部材と、
該貼着部材から送信される識別情報を受信する識別情報受信手段，該識別情報受信手段により受信された識別情報が適正であるか否かを判断する適正判断手段，該適正判断手段により判断された結果を外部へ出力する判断結果出力手段を有する点検装置本体と、
を備える不正交換点検装置であって、
前記貼着部材は、各遊技機に複数貼着されており、
前記遊技機には、当該遊技機に貼着されている複数の貼着部材の識別情報を記憶すると共に外部へ送信する基準識別情報送信部材が設けられており、
前記識別情報受信手段は、前記遊技機に貼着されている複数の貼着部材から送信される識別情報と当該遊技機に設けられている基準識別情報送信部材から送信される識別情報とを受信し、
前記適正判断手段は、前記貼着部材から送信される識別情報と前記基準識別情報送信部材から送信される識別情報とを比較することにより、前記貼着部材から送信される識別情報が適正であるか否かを判断する
ことを特徴とする不正交換点検装置。
【請求項４】
前記基準識別情報送信部材は、自身の識別情報を外部へ送信することができる様に構成されており、
前記識別情報受信手段は、前記基準識別情報送信部材から送信される当該基準識別情報送信部材自身の識別情報を受信し、
前記適正判断手段は、当該基準識別情報送信部材自身の識別情報が適正であるか否かを判断する
ことを特徴とする請求項３に記載の不正交換点検装置。
【発明の詳細な説明】
【０００１】
【発明の属する技術分野】
本発明は、遊技機を構成する各種基板や各種ＩＣチップ等の不正交換がなされたか否かを点検する不正交換点検装置に関する。
【０００２】
【従来の技術】
従来、パチンコ遊技場では、パチンコ遊技機の遊技制御基板等の各種基板や基板に実装されるＣＰＵ，ＲＯＭ，ＲＡＭ等の各種ＩＣチップが不正なものと交換されることがあり、場合によっては大きな損害を被ることがある。そこで、この様な不正交換を早期に発見するために様々な技術が提案されている。
【０００３】
費用があまりかからず、かつ防止効果に優れた方法としては、例えば、ＣＰＵ，ＲＯＭ，ＲＡＭのＩＣチップや遊技制御基板等に封印紙を貼着する方法が知られている。この様に封印紙を貼着しておけば、万一ＩＣチップや遊技制御基板等を取り外された場合には封印紙が破れるので、パチンコ遊技場側で取り外されたことを把握することができ、大きな損害を被る前に適正なものと交換する等の処置を行うことができる。
【０００４】
更に、近年では、封印紙を偽造されない様に、２枚の紙の間にＩＤデータ記憶用ＩＣチップとＩＤデータ送信アンテナとを挟んで構成される封印紙を、ＣＰＵ，ＲＯＭ等のＩＣチップや遊技制御基板等に貼着する方法が提案されている（例えば特開平１０−２２５５６５号公報参照）。そして、封印紙に異常があるか否かは、封印紙のアンテナから送信されるＩＤデータを所定の点検装置で受信し、受信したＩＤデータと点検装置に記憶されているＩＤデータとが一致するか否かによって判断する。この様な封印紙は偽造することが非常に困難であるので、不正交換を効果的に防止することができる。
【０００５】
【発明が解決しようとする課題】
しかし、前述した従来の方法では、封印紙に異常があるか否かは、パチンコ遊技場の店員が、各封印紙を一枚ずつ点検しなければならないので、非常に手間を要する。例えば、１０００台のパチンコ遊技機が設置されているパチンコ遊技場において、各パチンコ遊技機のＣＰＵ，ＲＯＭ，遊技制御基板に封印紙が各１枚ずつ貼着されているとすれば、３０００枚の封印紙を点検することになるので、数人の店員が手分けをして行っても多くの時間を要する。
【０００６】
又、各パチンコ遊技機に複数の貼着部材が貼着されていると、全てのＩＤデータを記憶するためには大容量の記憶媒体を備える必要がある。このため、場合によっては、点検装置の大型化，製造コストの増加を招くおそれがある。又、点検装置の外部に識別情報を記憶しておき、点検装置に送信する様に構成されていても良いが、処理速度を低下させるおそれがある。
【０００７】
そこで、本発明は、遊技機を構成する各種基板や各種ＩＣチップ等の不正交換がなされたか否かを点検する作業に要する手間を大幅に軽減することができる不正交換点検装置を提供することを第１の目的とし、装置の大型化，製造コストの増加，処理速度の低下を防止することができる不正交換点検装置を提供することを第２の目的とする。
【０００８】
【課題を解決するための手段、及び発明の効果】
第１の目的を達成するため、第１の発明にかかる不正交換点検装置は、請求項１に記載されている様に、遊技機を構成する各種基板や各種ＩＣチップ等の点検対象物に貼着され、自身の識別情報を外部へ送信することができる様に構成されている貼着部材と、該貼着部材から送信される識別情報を受信する識別情報受信手段，該識別情報受信手段により受信された識別情報が適正であるか否かを判断する適正判断手段，該適正判断手段により判断された結果を外部へ出力する判断結果出力手段を有する点検装置本体と、を備える不正交換点検装置であって、パチンコ遊技場内において前記点検装置本体を移動させるための搬送手段を設け、当該点検装置本体を適宜移動させて前記各遊技機について前記点検対象物の点検作業を行うことができる様に構成したことを特徴とする。
【０００９】
本発明にかかる不正交換点検装置では、自己の識別情報を外部へ送信することができる様に構成されている貼着部材が、遊技機を構成する遊技制御基板等の基板や、これらの基板に実装されるＣＰＵ，ＲＯＭ等のＩＣチップに貼着されており、点検装置本体に備えられる識別情報受信手段が、貼着部材から送信される識別情報を受信し、適正判断手段が、識別情報受信手段により受信された識別情報が適正であるか否かを判断し、判断結果出力手段が、適正判断手段により判断された結果を外部へ出力する。そして、何者かが貼着部材を剥離して基板やＩＣチップ等を不正に交換すると、貼着部材から識別情報が送信されなくなり、点検装置本体は、適正な識別情報を受信することができない旨を外部へ出力する。パチンコ遊技場の店員は、点検装置本体からの出力に基づいて、該当する遊技機を点検し、基板やＩＣチップ等が不正に交換されている場合には適正なものと交換する。
【００１０】
そして、本発明にかかる不正交換点検装置には、パチンコ遊技場内において点検装置本体を移動させるための搬送手段が設けられており、点検装置本体を適宜移動させて遊技機の点検を行う。店員の代わりに点検装置本体がパチンコ遊技場内を移動して遊技機の点検を行うので、店員は、点検装置本体からの出力を確認するだけで良い。このため、不正交換の点検に要する手間を大幅に低減することができる。
【００１１】
ところで、貼着部材から送信される識別番号が適正であるか否かを識別することができるのであれば、パチンコ遊技場内において点検装置本体をどの様に移動させても良いのであるが、遊技者の目に触れる経路を移動させる様に構成されていると、遊技者の通行を妨害することや遊技者の集中力を低下させることがある。この様な理由から、遊技者の目に触れない経路を移動させる様に構成されていることが好ましい。
【００１２】
そこで、請求項２に記載されている様に、本発明にかかる不正交換点検装置において、前記搬送手段は、遊技機が複数設置されて構成される遊技島内に設けられる搬送通路に沿って前記点検装置本体を移動させる様に構成されていると良い。
【００１３】
この様に構成されている場合には、点検装置本体は遊技者の目に触れることがないので、遊技者の通行を妨害することや遊技者の集中力を低下させることはない。又、第２の目的を達成するため、第２の発明にかかる不正交換点検装置は、請求項３に記載されている様に、遊技機を構成する各種基板や各種ＩＣチップ等の点検対象物に貼着され、自身の識別情報を外部へ送信することができる様に構成されている貼着部材と、該貼着部材から送信される識別情報を受信する識別情報受信手段，該識別情報受信手段により受信された識別情報が適正であるか否かを判断する適正判断手段，該適正判断手段により判断された結果を外部へ出力する判断結果出力手段を有する点検装置本体と、を備える不正交換点検装置であって、前記貼着部材は、各遊技機に複数貼着されており、前記遊技機には、当該遊技機に貼着されている複数の貼着部材の識別情報を記憶すると共に外部へ送信する基準識別情報送信部材が設けられており、前記識別情報受信手段は、前記遊技機に貼着されている複数の貼着部材から送信される識別情報と当該遊技機に設けられている基準識別情報送信部材から送信される識別情報とを受信し、前記適正判断手段は、前記貼着部材から送信される識別情報と前記基準識別情報送信部材から送信される識別情報とを比較することにより、前記貼着部材から送信される識別情報が適正であるか否かを判断することを特徴とする。
【００１４】
本発明にかかる不正交換点検装置では、遊技機に設けられている基準識別情報送信部材から、この遊技機に貼着されている複数の貼着部材の識別情報（以下「基準識別情報」という。）が送信され、点検装置本体は、識別情報受信手段によってこの複数の識別情報を受信する。そして、点検装置本体は、同じく各貼着部材から送信される識別情報を受信し、適正判断手段によって基準識別情報と各貼着部材から送信される識別情報とを比較することによって点検する。このため、点検装置本体は各貼着部材の識別情報を記憶しておく必要がないので、大容量の記憶媒体を備える必要はない。従って、点検装置本体の小型化，低コスト化の障害が少ない。又、処理速度を低下させるおそれもない。
【００１５】
しかし、万一、遊技機全体が不正なものと交換され、基準識別情報と各貼着部材の識別情報とが一致する様に基準識別情報送信部材及び各貼着部材が交換された場合には、不正交換を看過してしまうおそれがある。
そこで、請求項４に記載されている様に、本発明にかかる不正交換点検装置において遊技機に基準識別情報送信部材が設けられている場合、前記基準識別情報送信部材は、自身の識別情報を外部へ送信することができる様に構成されており、前記識別情報受信手段は、前記基準識別情報送信部材から送信される当該基準識別情報送信部材自身の識別情報を受信し、前記適正判断手段は、当該基準識別情報送信部材自身の識別情報が適正であるか否かを判断する様に構成されていると良い。
【００１６】
この様に構成されている場合には、基準識別情報と各貼着部材の識別情報とが一致する様に基準識別情報送信部材及び各貼着部材がまとめて交換されたとしても、基準識別情報送信部材自身の識別情報をパチンコ遊技場の管理室等においてに厳重に管理しておけば、基準識別情報送信部材自身の識別情報を一致させることは不可能である。従って、万一遊技機全体が不正なものと交換されたとしても、その旨を把握することができ、非常に安全である。
【００１７】
尚、基準識別情報送信部材は、貼着部材と同様に、剥離されると復元困難に破損して識別情報を送信することができなくなる様に構成されていると更に良い。又、第１の発明と第２の発明とを組み合わせても良い。即ち、第２の発明にかかる不正交換点検装置に、第１の発明にかかる不正交換点検装置を構成する搬送手段を設けても良い。
【００１８】
【発明の実施の形態】
以下、本発明の一実施例を図面に基づいて説明する。
まず、本実施例の不正交換点検装置の構成について説明する。
図１は、本実施例の遊技島の一部を破断して示す斜視図（ａ）及び巡回装置の側面図（ｂ）であり、図２は、パチンコ遊技機及び台間装置の正面図であり、図３は、巡回装置の構成を説明するためのブロック図であり、図４は、ＩＤタグの構造を説明するための透視平面図（ａ）及びＩＤタグに備えられるＩＣチップの構成を説明するためのブロック図（ｂ）であり、図５は、指令装置の構成を説明するためのブロック図である。
【００１９】
本実施例の不正交換点検装置は、図１（ａ）に示す様に遊技島５の内部に設けられた搬送通路に移動可能に設置される巡回装置１と、図２に示す様にパチンコ遊技機５１及び台間装置５２に貼着されるＩＤタグ２（マスタータグ２ａ及びスレイブタグ２ｂ，２ｃ，２ｄ，２ｅ，２ｆ）と、図示しないパチンコ遊技場の管理室に設置される指令装置３と、によって構成されている。
【００２０】
巡回装置１は、図３に示す様に、演算制御回路１１，入出力回路１２を有する制御部１０と、対ＩＤタグ用送受信部１３と、電力搬送波送出部１４と、対指令装置用送受信部１５と、車輪駆動部１６と、電力供給部１７と、を備える。
演算制御回路１１は、各種演算制御を行うためのものであり、ＣＰＵ，ＲＯＭ，ＲＡＭ等によって構成されている。
【００２１】
入出力回路１２は、演算制御回路１１と制御部１０の外部（対ＩＤタグ用送受信部１３，電力搬送波送出部１４，対指令装置用送受信部１５，車輪駆動部１６）とを接続するためのものであり、演算制御回路１１と外部との間で行われる情報の送受は、全て入出力回路１２を介して行われる。
【００２２】
対ＩＤタグ用送受信部１３は、ＩＤタグ２との間で情報を送受するためのものである。
電力搬送波送出部１４は、ＩＤタグ２を作動させるための電力搬送波を送出するためのものである。
【００２３】
対指令装置用送受信部１５は、指令装置３との間で情報を送受するためのものであり、スペクトル拡散方式のトランシーバによって構成されている。
車輪駆動部１６は、車輪を駆動することにより、遊技島５内の搬送通路において巡回装置１を適宜移動させるためのものである。
【００２４】
電力供給部１７は、遊技島５内の搬送通路の天井付近に架設された電力供給用ケーブル５３を介して遊技島５の図示しない電源装置から電力を取得し、巡回装置１の各部へ電力を供給するためのものである。
そして、巡回装置１は、遊技島５内の搬送通路の底面に敷設されているガイドレール５４に沿って搬送通路内を移動する。
【００２５】
ＩＤタグ２は、図４に示す様に、制御部２１，対巡回装置用送受信部２２，電力供給部２３を有するＩＣチップ２０と、対巡回装置用送受信部２２に設けられるアンテナ２４と、電力供給部２３に設けられるアンテナ２５と、ＩＣチップ２０，アンテナ２４，アンテナ２５を上下から挟む保護フィルム２６と、を備える。
【００２６】
制御部２１は、自身のＩＤデータを記憶しており、又、対巡回装置用送受信部２２を介して巡回装置１からＩＤデータの送信を要求されると、この要求に従って、対巡回装置用送受信部２２を介して巡回装置１へＩＤデータを送信する様に構成されている。尚、マスタータグ２ａの制御部２１は、自身のＩＤデータだけでなく、スレイブタグ２ｂ，２ｃ，２ｄ，２ｅ，２ｆのＩＤデータ（以下「基準ＩＤデータ」という。）も記憶している。そして、マスタータグ２ａは、巡回装置１からスレイブタグのＩＤデータの送信を要求されると、巡回装置１へスレイブタグのＩＤデータを送信する。
【００２７】
対巡回装置用送受信部２２は、巡回装置１との間で情報を送受するためのものであり、巡回装置１（対ＩＤタグ用送受信部１３）との距離が４０ｃｍ以内であれば送受信可能であるが、それより離れると送受信不能となる。
電力供給部２３は、巡回装置１から送出される電力搬送波をアンテナ２５によって受けてＩＣチップ２０の各部へ電力を供給するためのものである。
【００２８】
保護フィルム２６は、合成樹脂製であり、上側の保護フィルム２６の表面には「封」の文字が印刷されており、下側の保護フィルム２６の裏面には、遊技機５１等に貼着するための接着剤が塗布されている。
そして、図２に示す様に、マスタータグ２ａは、遊技盤５１ａの表側右下に貼着されており、スレイブタグ２ｂは、パチンコ遊技機５１の遊技制御基板５１ｂに貼着されており、スレイブタグ２ｃは、遊技制御基板５１ｂのＣＰＵに貼着されており、スレイブタグ２ｄは、遊技制御基板５１ｂの遊技ＲＯＭに貼着されており、スレイブタグ２ｅは、図柄表示装置５１ｃのキャラクタジェネレータに貼着されており、スレイブタグ２ｆは、台間装置５２の裏側に貼着されている。そして、各ＩＤタグ２は、剥離されると復元困難に破損してＩＤデータを送信することができなくなる様に構成されている。
【００２９】
指令装置３は、図５に示す様に、演算制御回路３１，入出力回路３２を有する制御部３０と、操作釦３３と、ディスプレイ３４と、対巡回装置用送受信部３５と、報知部３６と、を備える。
演算制御回路３１は、各種演算制御を行うためのものであり、ＣＰＵ，ＲＯＭ，ＲＡＭ，フラッシュメモリ等によって構成されている。フラッシュメモリには、マスターＩＤタグ２ａ自身のＩＤデータ等が記憶されている。
【００３０】
入出力回路３２は、演算制御回路３１と制御部３０の外部（操作釦３３，ディスプレイ３４，対巡回装置用送受信部３５，報知部３６）とを接続するためのものである。
操作釦３３は、各種設定等を行うためのものである。
【００３１】
ディスプレイ３４は、巡回装置１から送信された情報等を表示するためのものである。
対巡回装置用送受信部３５は、巡回装置１との間で情報を送受するためのものであり、スペクトル拡散方式のトランシーバによって構成されている。
【００３２】
報知部３６は、パチンコ遊技機５１の遊技ＲＯＭ等が不正交換されたおそれがある場合にその旨を報知するためのものであり、回転灯，スピーカによって構成されている。
又、各パチンコ遊技機５１においてガラス枠又は内枠が開放されると、その旨を表す枠開放信号が当該パチンコ遊技機５１から入出力回路３２を介して演算制御回路３１に入力される様に構成されており、演算制御回路３１は、この枠開放信号によって、パチンコ遊技場内の何れのパチンコ遊技機５１においてガラス枠又は内枠が開放されているのかを把握すると共に、何れのパチンコ遊技機においてガラス枠又は内枠の何れが開放されているのかを表す情報を巡回装置１に送信する。尚、詳細は後述する。
【００３３】
続いて、本実施例の不正交換点検装置の作用をフローチャートに沿って説明する。
まず、巡回装置１が行う移動処理を図６に示すフローチャートに沿って説明する。
【００３４】
この処理は、電力供給部１７から巡回装置１の各部に動作電力が供給され、演算制御回路１１のＣＰＵがＲＯＭに記録されている処理手順を読み出して実行することによって開始される。
この処理が開始されると、演算制御回路１１は、警戒時間中であるか否かを判断する（Ｓ１０）。ここで、警戒時間とは、営業時間，営業開始前の点検時間，営業終了後の点検時間以外の時間、即ち店員が不在となる時間のことであり、具体的には、図８に示す指令装置３が行う処理のＳ５０において指令装置３から送信される情報に基づいて判断する。そして、警戒時間中でない場合には（Ｓ１０において「ＮＯ」）、遊技島５全域を往復する様に車輪駆動部１６に指令を出す（Ｓ１２）。そして、Ｓ１０へ戻って処理を繰り返す。一方、警戒時間中である場合には（Ｓ１０において「ＹＥＳ」）、指令装置３から送信される情報に基づいて、遊技島５に設置されている何れかのパチンコ遊技機５１のガラス枠又は内枠が開放されているか否かを判断する（Ｓ１４）。そして、パチンコ遊技機５１のガラス枠及び内枠が何れも開放されていない場合には（Ｓ１４において「ＮＯ」）、遊技島５全域を往復する様に車輪駆動部１６に指令を出す（Ｓ１２）。そして、Ｓ１０へ戻って処理を繰り返す。一方、何れかのパチンコ遊技機５１のガラス枠又は内枠が開放されている場合には（Ｓ１４において「ＹＥＳ」）、ガラス枠又は内枠が開放されているパチンコ遊技機５１の背面へ移動する様に車輪駆動部１６に指令を出す（Ｓ１６）。そして、このパチンコ遊技機５１の近傍（前後２ｍ）を１分間往復する様に車輪駆動部１６に指令を出す（Ｓ１８）。そして、Ｓ１０へ戻って処理を繰り返す。
【００３５】
次に、巡回装置１が行う点検処理を図７に示すフローチャートに沿って説明する。
この処理は、前述した移動処理と並行して行われるものであり、移動処理と同様に、電力供給部１７から巡回装置１の各部に動作電力が供給され、演算制御回路１１のＣＰＵがＲＯＭに記録されている処理手順を読み出して実行することによって開始される。
【００３６】
この処理が開始されると、演算制御回路１１は、マスタータグ２ａに対して基準ＩＤデータを送信する様に要求すると共に、スレイブタグ２ｂ，２ｃ，２ｄ，２ｅ，２ｆに対してＩＤデータを送信する様に要求し、各ＩＤタグ２から送信されるＩＤデータを受信する（Ｓ３０，Ｓ３２）。尚、前述した様に、巡回装置１と各ＩＤタグ２との間が４０ｃｍ以内でないと送受信することができないので、多数のパチンコ遊技機５１に貼着されているＩＤタグ２からＩＤデータが同時に送信されることはない。次に、演算制御回路１１は、マスタータグ２ａから取得した基準ＩＤデータとスレイブタグ２ｂ，２ｃ，２ｄ，２ｅ，２ｆから取得したＩＤデータとを比較する（Ｓ３４）。そして、マスタータグ２ａから取得した基準ＩＤデータとスレイブタグ２ｂ，２ｃ，２ｄ，２ｅ，２ｆから取得したＩＤデータとが全て一致する場合には（Ｓ３４において「ＹＥＳ」）、パチンコ遊技機５１の識別番号，異常がない旨を指令装置３へ送信する（Ｓ３６）。そして、Ｓ３０へ戻って処理を繰り返す。
【００３７】
一方、スレイブタグ２ｂ，２ｃ，２ｄ，２ｅ，２ｆから取得したＩＤデータの中にマスタータグ２ａから取得した基準ＩＤデータと一致しないものがある場合、あるいは、基準ＩＤデータ，ＩＤデータを取得することができなかった場合には（Ｓ３４において「ＮＯ」）、指令装置３から送信される情報に基づいて、警戒時間中であるか否かを判断する（Ｓ３８）。そして、警戒時間中でない場合には（Ｓ３８において「ＮＯ」）、指令装置３から送信される情報に基づいて、点検対象となっているパチンコ遊技機５１の内枠が開放されているか否かを判断する（Ｓ４０）。そして、点検対象となっているパチンコ遊技機５１の内枠が開放されている場合には（Ｓ４０において「ＹＥＳ」）、パチンコ遊技機５１の識別番号，店員が内枠を開放して点検作業等を行っている旨を指令装置３へ送信する（Ｓ４２）。そして、Ｓ３０へ戻って処理を繰り返す。一方、警戒時間中でなくても内枠が開放されていない場合には（Ｓ３８において「ＮＯ」，Ｓ４０において「ＮＯ」）、あるいは、警戒時間中である場合には（Ｓ３８において「ＹＥＳ」）、パチンコ遊技機５１の識別番号，異常がある旨，何れのＩＤタグ２に異常があるか（何れの部品に異常があるか）を指令装置３へ送信する（Ｓ４４）。そして、Ｓ３０へ戻って処理を繰り返す。
【００３８】
次に、指令装置３が行う処理を図８に示すフローチャートに沿って説明する。
この処理は、図示しない電源装置から指令装置３の各部に動作電力が供給され、演算制御回路３１のＣＰＵがＲＯＭに記録されている処理手順を読み出して実行することによって開始される。
【００３９】
この処理が開始されると、演算制御回路３１は、警戒時間中であるか否かを巡回装置１へ送信する（Ｓ５０）。次に、遊技島５に設置されているパチンコ遊技機５１のガラス枠及び内枠の開放状況を巡回装置１へ送信する（Ｓ５２）。次に、前述した点検処理のＳ３６，Ｓ４２，Ｓ４４において巡回装置１から送信される点検結果を受信し（Ｓ５４）、ディスプレイ３４に表示させる（Ｓ５６）。そして、巡回装置１から送信される点検結果が異常がある旨のものであるか否かを判断する（Ｓ５８）。そして、異常がある旨の点検結果である場合には（Ｓ５８において「ＹＥＳ」）、パチンコ遊技機５１の識別番号，何れのＩＤタグ２に異常があるか（何れの部品に異常があるか），点検結果を受信した時刻を対応させて演算制御回路３１のフラッシュメモリに記憶する（Ｓ６０）と共に、報知部３６に指令を出して、異常がある旨を、回転灯及びスピーカによって店員に知らせる（Ｓ６２）。そして、Ｓ５０へ戻って処理を繰り返す。一方、異常がない旨の点検結果である場合には（Ｓ５８において「ＮＯ」）、Ｓ６０，Ｓ６２の処理を行わずにＳ５０へ戻って処理を繰り返す。
【００４０】
又、これらの処理の他、巡回装置１は、１時間に１回、マスタータグ２ａからマスタータグ２ａ自身のＩＤデータを取得して指令装置３へ送信する処理を行い、指令装置３は、このＩＤデータと演算制御回路３１のフラッシュメモリに記憶されているＩＤデータとが一致するか否かを判断し、一致しなければ報知部３６にその旨を報知させる処理を行う。
【００４１】
続いて、本実施例の不正交換点検装置の具体的な動作内容の一例について説明する。
まず、指令装置３から巡回装置１へ、現在警戒時間中であるか否か及びパチンコ遊技機５１のガラス枠，内枠の開放状況が送信される（Ｓ５０，Ｓ５２）。
【００４２】
警戒時間外である場合には（Ｓ１０において「ＮＯ」）、巡回装置１によって遊技島５全域の点検が行われる（Ｓ１２）。このとき、巡回装置１は、各パチンコ遊技機５１のマスタータグ２ａから基準ＩＤデータを取得すると共に各スレイブタグ２ｂ，２ｃ，２ｄ，２ｅ，２ｆからＩＤデータを取得し、両ＩＤデータが一致すれば（Ｓ３４において「ＹＥＳ」）、異常がない旨が指令装置３へ送信される（Ｓ３６）。一方、一致しなければ（Ｓ３４において「ＮＯ」）、警戒時間中でないので（Ｓ３８において「ＮＯ」）、内枠が開放されていれば（Ｓ４０において「ＹＥＳ」）、店員が内枠を開放してパチンコ遊技機５１の点検作業等を行っていると判断され、その旨が指令装置３へ送信され（Ｓ４２）、内枠が開放されていなければ（Ｓ４０において「ＮＯ」）、パチンコ遊技機５１や台間装置５２に異常があると判断され、異常がある旨，異常箇所が指令装置３へ送信される（Ｓ４４）。そして、巡回装置１から送信される点検結果は、指令装置３によってディスプレイ３４に表示される（Ｓ５６）。又、異常がある旨の点検結果が巡回装置１から送信された場合には（Ｓ５８において「ＹＥＳ」）、指令装置３によって点検結果，受信時刻が記憶される（Ｓ６０）と共に、店員に報知される（Ｓ６２）。
【００４３】
警戒時間中である場合には（Ｓ１０において「ＹＥＳ」）、ガラス枠，内枠が開放されるまで（Ｓ１４において「ＮＯ」）、遊技島５全域の点検が行われる（Ｓ１２）。そして、警戒時間中にガラス枠，内枠が開放されると（Ｓ１４において「ＹＥＳ」）、巡回装置１によって当該ガラス枠，内枠が開放されたパチンコ遊技機５１の近傍の点検が行われる（Ｓ１６，Ｓ１８）。警戒時間外と同様に、基準ＩＤデータと各スレイブタグのＩＤデータが一致すれば（Ｓ３４において「ＹＥＳ」）、異常がない旨が指令装置３へ送信される（Ｓ３６）。一方、一致しなければ（Ｓ３４において「ＮＯ」）、警戒時間中であるので（Ｓ３８において「ＹＥＳ」）、店員が内枠を開放してパチンコ遊技機５１の点検作業等を行っていることはないので、パチンコ遊技機５１や台間装置５２に異常があると判断され、異常がある旨，異常箇所が指令装置３へ送信される（Ｓ４４）。そして、警戒時間外と同様に、点検結果がディスプレイ３４に表示され（Ｓ５６）、異常がある場合には（Ｓ５８において「ＹＥＳ」）、点検結果，受信時刻が記憶され（Ｓ６０）ると共に、店員に報知される（Ｓ６２）。
【００４４】
尚、本実施例において、巡回装置１が、前述した点検装置本体に相当し、車輪駆動部１６が、前述した搬送手段に相当し、ＩＤタグ２が、前述した貼着部材に相当し、マスタータグ２ａが、前述した基準識別情報送信部材に相当し、演算制御回路１１が点検処理のＳ３０，Ｓ３２において行う処理が、前述した識別情報受信手段の作用に相当し、Ｓ３４において行う処理が、前述した適正判断手段の作用に相当し、Ｓ３６，Ｓ４２，Ｓ４４において行う処理が、前述した判断結果出力手段の作用に相当する。
【００４５】
続いて、本実施例の不正交換点検装置の効果について説明する。
本実施例の不正交換点検装置では、巡回装置１が遊技島５の内部に設けられた搬送通路を移動して遊技島５を構成するパチンコ遊技機５１の点検を行うので、パチンコ遊技場の店員は、指令装置３のディスプレイ３４及び報知部３６を確認するだけで良い。このため、不正交換の点検に要する手間を大幅に低減することができる。
【００４６】
又、巡回装置１は、遊技者の目に触れない遊技島５の内部を移動するので、遊技者の通行を妨害することや遊技者の集中力を低下させることがない。
又、マスタータグ２ａには、同じパチンコ遊技機５１及びパチンコ遊技機５１に付設される台間装置５２に貼着されるスレイブタグ２ｂ，２ｃ，２ｄ，２ｅ，２ｆのＩＤデータが記憶されているので、巡回装置１や指令装置３において多数のＩＤデータを記憶する必要がない。このため、巡回装置１や指令装置３に大容量の記憶媒体を備える必要はない。従って、巡回装置１や指令装置３の小型化，低コスト化を比較的容易に実現することができる。
【００４７】
又、パチンコ遊技機５１，台間装置５２及びＩＤタグ２をまとめて不正なものと交換することによって、基準ＩＤデータと各スレイブタグのＩＤデータとを一致させることはできるが、マスタータグ２ａ自身のＩＤデータを指令装置３の記憶内容と一致させることは不可能である。従って、万一パチンコ遊技機５１及び台間装置５２がまとめて不正なものと交換されたとしても、その旨を把握することができ、非常に安全である。
【００４８】
以上、本発明の一実施例について説明したが、本発明は前述した実施例に何等限定されるものではなく、更に種々の態様において実施しても良いことはもちろんである。
例えば、実施例では、巡回装置１は継続的に巡回する様に構成されているが、所定の時間をおいて断続的に巡回する様に構成されていても良い。又、警戒時間中，警戒時間外，営業時間中，営業時間外等の時間帯に応じて継続的巡回，断続的巡回を切り替える様に構成されていても良い。
【００４９】
又、本実施例では、指令装置３に、マスタータグ２ａのＩＤデータだけを記憶させ、指令装置３に記憶されているマスタータグ２ａのＩＤデータと、巡回装置１がマスタータグ２ａから取得して指令装置３に送信されるＩＤデータとを比較することによってマスタータグ２ａが適正であるか否かを判断する様に構成されているが、指令装置３に、スレイブタグ２ｂ，２ｃ，２ｄ，２ｅ，２ｆのＩＤデータも記憶させ、スレイブタグ２ｂ，２ｃ，２ｄ，２ｅ，２ｆが適正であるか否かも指令装置３において判断する様に構成されていても良い。但し、この様に構成されている場合には、より多くのＩＤデータを記憶するために、演算制御回路３１のフラッシュメモリの記憶容量を大きくする必要がある。
【００５０】
又、ガラス枠，内枠にもＩＤタグ２を貼着し、ガラス枠，内枠の開放も巡回装置１によって検出することができる様に構成されていても良い。
又、ＣＰＵ等のＩＣチップを跨ぐ様にＩＤタグ２を貼着し、当該ＩＣチップを遊技制御基板５１ｂから取り外そうとするとＩＤタグ２が破損する様にしても良い。
【図面の簡単な説明】
【図１】  遊技島の一部を破断して示す斜視図（ａ）及び巡回装置１の側面図（ｂ）である。
【図２】  パチンコ遊技機及び台間装置の正面図である。
【図３】  巡回装置の構成を説明するためのブロック図である。
【図４】  ＩＤタグの構造を説明するための透視平面図（ａ）及びＩＤタグに備えられるＩＣチップの構成を説明するためのブロック図（ｂ）である。
【図５】  指令装置の構成を説明するためのブロック図である。
【図６】  巡回装置が行う移動処理の流れを説明するためのフローチャートである。
【図７】  巡回装置が行う移動処理の流れを説明するためのフローチャートである。
【図８】  指令装置が行う処理の流れを説明するためのフローチャートである。
【符号の説明】
１…巡回装置    ２…ＩＤタグ（２ａ…マスタータグ    ２ｂ，２ｃ，２ｄ，２ｅ，２ｆ…スレイブタグ）    ３…指令装置    ５…遊技島    １０…制御部１１…演算制御回路    １２…入出力回路    １３…対ＩＤタグ用送受信部１４…電力搬送波送出部    １５…対指令装置用送受信部    １６…車輪駆動部    １７…電力供給部    ２０…ＩＣチップ    ２１…制御部    ２２…対巡回装置用送受信部    ２３…電力供給部    ２４…アンテナ    ２５…アンテナ    ２６…保護フィルム    ３０…制御部    ３１…演算制御回路    ３２…入出力回路    ３３…操作釦    ３４…ディスプレイ    ３５…対巡回装置用送受信部    ３６…報知部    ５１…パチンコ遊技機    ５１ａ…遊技盤    ５１ｂ…遊技制御基板    ５１ｃ…図柄表示装置    ５２…台間装置    ５３…電力供給用ケーブル    ５４…ガイドレール。
【図１】
0004304747.tif 000002
【図２】
0004304747.tif 000003
【図３】
0004304747.tif 000004
【図４】
0004304747.tif 000005
【図５】
0004304747.tif 000006
【図６】
0004304747.tif 000007
【図７】
0004304747.tif 000008
【図８】
0004304747.tif 000009